(57)【要約】【課題】機械室部前板の取り付けが容易な空気調和機の室外ユニットを提供する。【解決手段】空気調和機の室外ユニットの外箱が、天面に配された天板（図示せず）と、送風機（図示せず）の風を吹き出す吹き出し口（図示せず）を設けた吹き出し口部前板１０２と、機械室（図示せず）の前部を覆う機械室部前板１０３と、側面部を覆う側板（図示せず）から構成され、前記機械室部前板に略Ｌ字状の係止爪１１０を設け、前記吹き出し口部前板１０２および前記側板の端部の前記係止爪に対向する位置に、前記係止爪に係合する係合穴１１１を設け、前記係止爪には突起１２を設け、前記係合穴には係合穴の端部より内側に向かって凸となる凸部１３を設ける。【選択図】図１
2006292270.tif 000002
【特許請求の範囲】
【請求項１】
外箱が、天面に配された天板と、送風機の風を吹き出す吹き出し口を設けた吹き出し口部前板と、機械室の前部を覆う機械室部前板と、側面を覆う側板から構成され、前記機械室部前板に、略Ｌ字状の係止爪を設け、前記吹き出し口部前板および前記側板に、前記係止爪と係合する係合穴を設け、前記係止爪に、その横方向に突出する突部を設け、前記係合穴に、穴の内側に向かって凸となる凸部を設けたことを特徴とする空気調和機の室外ユニット。
【請求項２】
前記係合穴は、前記係止爪が挿入する挿入部と、係止爪が掛止する凸部からなる掛止部で形成したことを特徴とする請求項1に記載の空気調和機の室外ユニット。
【請求項３】
前記突部は室外ユニットの奥行き方向に長い形状としたことを特徴とする請求項1〜２のいずれかに記載の空気調和機の室外ユニット。
【請求項４】
前記凸部を複数個設けかつ千鳥状に配置すると共に、前記突部を複数個設けかつその突出方向を変えたことを特徴とする請求項１〜３のいずれかに記載の空気調和機の室外ユニット。
【請求項５】
前記突部の縦断面形状において、上部側の傾斜が下部側の傾斜に比べてゆるいことを特徴とする請求項１〜４のいずれかに記載の空気調和機の室外ユニット。
【請求項６】
前記突部は円形状でかつ千鳥状に複数個配置したことを特徴とする請求項１〜２のいずれかに記載の空気調和機の室外ユニット。
【請求項７】
前記凸部を千鳥状に配置すると共に、複数の隣り合う前記突部の突出方向を変えたことを特徴とする請求項６に記載の空気調和機の室外ユニット。
【発明の詳細な説明】
【技術分野】
【０００１】
本発明は、空気調和機の室外ユニットに関し、より詳細には室外ユニットの外郭を形成する外箱の取り付け構成に関するものである。
【背景技術】
【０００２】
大能力タイプのルームエアコンの室外ユニットやパッケージエアコンの室外ユニットでは、室外ユニットの横連続設置対応により、一般のルームエアコンでは外装部から突出している配管接続部が、室外ユニット内部に収納されている。そのため設置時の配管接続作業や冷媒追加充填作業、また設置状態に応じて室外ユニット制御基板に設けられた各種設定スイッチの操作を行うには、圧縮機室もしくは圧縮機室の上部に設けられた制御基板等を収納するための電装部品室を覆う機械室部前板を外して作業を行うことが必要となる。そのため従来の空気調和機の室外ユニットは、機械室部前板は、数本のねじを緩めることで簡単に取り外せる構成となっている（例えば、特許文献１参照）。
【０００３】
以下に、従来の空気調和機の室外ユニットの外箱構成を図４、図５を用いて説明する。
【０００４】
図４において、室外ユニット９０の外箱９０ａは、ユニットベース１００、天面を覆う天板１０１、前面を覆い送風機（図示せず）の吹き出し口１０２ａを設けた吹き出し口部前板１０２、圧縮機１０６を内蔵する圧縮機室１０６ａと制御基板等（図示せず）を収納する電装部品室１０４を覆う断面略Ｌ字形状の機械室部前板１０３、右側面を覆う側板１０５ａ、側板１０５ｂから構成されている。機械室部前板１０３は、前面部１０３ａと右側面部１０３ｂと左側端部１０３ｃで形成され、さらに機械室部前板１０３の上端および下端はそれぞれねじ１０３ｄで天板１０１とユニットベース１００に締結されている。
【０００５】
図５は、図４における機械室部前板１０３の右側面部１０３ｂのＤ部と側板１０５ｂのＥ部を拡大した詳細図である。図５に示すように、機械室部前板１０３の右側面側１０３ｂおよび左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００６】
室外ユニット９０を横方向に連続設置する場合に、機械室部前板１０３が室外ユニット９０の手前方向に外せるようにするために係止爪１１０は両端側ともに室外ユニット９０の奥行方向に突出して形成されており、対応する係合穴１１１は係止爪１１０に直交するように開口している。
【０００７】
以上のように、機械室部前板１０３は、機械室部前板１０３の右側面部１０３ｂおよび左側端部１０３ｃに設けられた複数個の係止爪１１０と係合穴１１１の係合作用で取り付けられたあと、上方にスライドされ、さらに機械室部前板の上端および下端をそれぞれ1本のねじ１０３ｄで天板１０１およびユニットベース１００に締結するだけで吹き出し口部前板１０２および側板１０５ａと側板１０５ｂに固着できるため、多くのねじを使用する必要がない。
【特許文献１】特開平６−１２３４４６号公報
【発明の開示】
【発明が解決しようとする課題】
【０００８】
しかしながら、前記従来の構成では、機械室部前板を室外ユニットに取り付ける際に、ねじを止めるまでの間、機械室部前板が、金属製であり表面積も大きいため自重が重たく
なるので、下方へ下がり、ねじ穴がずれてしまう。そのため作業者は機械室部前板が下方へ下がらないように、機械室部前板を手で押さえておく必要があり、取り付け作業が困難であった。大人数で作業している場合には、一人が機械室部前板を押さえ、もう一人がねじを締結しなければならない。また一人で作業をする場合には、機械室部前板の取り付けが困難であり、さらに作業者が注意不足の場合には、係止爪と係合穴が外れてしまい、機械室部前板が室外ユニットより落下し、傷付きや変形の原因となっていた。
【０００９】
上記課題に対して、本発明は安価な構成で見栄えを損なうことなく、一人で作業をする時にも確実で、しかも容易に機械室部前板を取り付けることができる空気調和機の室外ユニットを提供することを課題とする。
【課題を解決するための手段】
【００１０】
上記従来の課題を解決するために、本発明は、天面に配された天板と、送風機の風を吹き出す吹き出し口を設けた吹き出し口部前板と、機械室の前部を覆う機械室部前板と、側面を覆う側板で構成される室外ユニットの外箱において、前記機械室部前板に、略Ｌ字状の係止爪を設け、吹き出し口部前板および前記側板に、前記係止爪と係合する係合穴を設け、前記係止爪に、その横方向に突出する突部を設け、前記係合穴に、穴の内側に向かって凸となる凸部を設ける構成としたものである。
【００１１】
これによって、突部が係合穴に設けた凸部の間に形成される凹部と係合して保持されるため、機械室部前板は下方へずれることがなく一人で確実に、しかも容易に機械室部前板を吹き出し口部前板および側板に取り付けることができる。
【発明の効果】
【００１２】
本発明の空気調和機の室外ユニットは、安価な構成で見栄えを損なうことなく、一人で確実に、しかも容易に機械室部前板を取り付けることができる。
【発明を実施するための最良の形態】
【００１３】
第１の発明は、天面に配された天板と、送風機の風を吹き出す吹き出し口を設けた吹き出し口部前板と、機械室の前部を覆う機械室部前板と、側面を覆う側板で構成される室外ユニットの外箱において、機械室部前板に略Ｌ字状の係止爪を設け、吹き出し口部前板および前記側板に、前記係止爪と係合する係合穴を設け、前記係止爪にその横方向に突出する突部を設け、前記係合穴に、穴の内側に向かって凸となる凸部を設けた構成にすることで、前記係止爪に設けた突部が前記係合穴に設けた凸部の間に形成される凹部と係合して保持されるので、前記機械室部前板は下方へずれることなく、一人で確実に、しかも容易に前記機械室部前板を前記吹き出し口部前板および前記側板に取り付けることができる。なお機械室とは圧縮機を有する空間や電装部品等を有する空間を言う。
【００１４】
第２の発明は、前記係合穴を前記係止爪が挿入する挿入部と、係止爪が掛止する凸部からなる掛止部とで構成し、機械室部前板を取り付ける際は、係止爪を係合穴の挿入部に挿入し上方へスライドすれば、係止爪は係合穴にスムーズに挿入できることになり、一人で確実に、しかも容易に前記機械室部前板を前記吹き出し口部前板および前記側板に取り付けることができる。
【００１５】
第３の発明は、第１〜第２の発明の突部が、室外ユニットの奥行き方向に長い形状となっていることで、前記機械室部前板と、前記吹き出し口もしくは前記側板の間に、多少の位置ずれが生じたとしても、前記突部が前記係合穴に設けた凸部の間に形成される凹部と係合して保持されるため、前記機械室部前板は下方へずれることがなく、一人で確実に、しかも容易に前記機械室部前板を前記吹き出し口部前板および前記側板に取り付けることができる。
【００１６】
第４の発明は、第１〜第３の発明の係合穴の掛止部に設けた凸部を複数個設け、千鳥位置に配置し、前記凸部の間に形成される凹部に係合するように、複数個設けた前記突部の突出方向を変えたことで、係止爪を上方へスライドさせた際、前記機械室部前板は、がたつくことなく確実に所定の位置におさめることができる。
【００１７】
第５の発明は、第１〜第４の発明の突部の縦断面形状の上部側の傾斜が、下部側の傾斜に比べてゆるいために、係止爪を係合穴に取り付ける際に、係合穴に設けた凸部を係止爪がスムーズに乗り越えるとともに、下部側は上部側より大きく隆起しているため機械室部前板が下方に下がりにくくなり、確実に係合して保持することができる。
【００１８】
第６の発明は、第１〜第２の発明の突部の形状を円形状にし、突部を千鳥状に複数個配置することで、前記機械室部前板と、前記吹き出し口部前板もしくは前記側板の間に、多少の位置ずれが生じたとしても、何れかの突部が前記係合穴に設けた凸部の間に形成される凹部と係合して保持されるため、前記機械室部前板は下方へずれることがなく、一人で確実に、しかも容易に前記機械室部前板を前記吹き出し口部前板および前記側板に取り付けることができる。
【００１９】
第７の発明は、第６の発明の係合穴の掛止部に設けた凸部を千鳥位置に配置し、前記凸部の間に形成される凹部に係合するように、前記突部の突出方向を変えたことで、係止爪を上方へスライドさせた際、前記機械室部前板は、がたつくことなく確実に所定の位置におさめることができる。
【００２０】
以下、本発明の実施の形態について、図面を参照しながら説明する。なおこの実施の形態によって本発明が限定されるものではなく、例えば、室外ユニットを構成する側板と機械室部前板が一体となっていても本発明の実施は可能である。
【００２１】
（実施の形態１）
本発明の実施の形態１における空気調和機の室外ユニットの外箱構成は、従来例と同様であるので説明は省略する。図１は、本発明の実施の形態１における係止爪と係合穴の構成を示す部分斜視図である。
【００２２】
係止爪１１０には、室外ユニットの奥行き方向に幅を持たせた突部１２を設け、係合穴１１１には係合穴の端部より穴の内側に向かって凸となる複数の凸部１３を千鳥位置に設け、凸部１３の間に形成される凹部に係合するように、突部１２の突出方向を変えている。また係合穴１１１は係止爪１１０が挿入する挿入部１６と、係止爪１１０が掛止する凸部１３からなる掛止部１７で構成される。その結果、突部１２が奥行き方向に長い形状となっているため、多少の位置ずれが生じても突部１２と凸部１３の間に形成された凹部とが係合でき、凸部１３を千鳥位置に設け、それに合わせて突部１２の突出方向を変えているために、機械室部前板１０３をがたつくことなく所定の位置に収めることができ、係合穴１１１を挿入部１６と掛止部１７で構成することで、機械室部前板１０３を室外ユニット９０へ取り付ける際は、係止爪１１０を係合穴１１１の挿入部１６に挿入し上方へスライドさせればよいため、一人で確実に、しかも容易に機械室部前板１０３を取り付けることができる。
【００２３】
図２は、図１のＡ−Ａ断面図で、突部１２の縦断面形状の上部側１８の傾斜を下部側１９の傾斜に比べてゆるくしている。その結果、係止爪１１０が係合穴１１１に設けた凸部１３をスムーズに乗り越えるとともに、突部１２の縦断面形状の下部側１９が上部側１８に比べて大きく隆起しているので、機械室部前板が下方に下がりにくくなり、確実に係合して保持することができる。
【００２４】
よって空気調和機の室外ユニットを以上のような構成とすることで、安価な構成で見栄えを損なうことなく、一人で確実に、しかも容易に機械室部前板を取り付けることができる。
【００２５】
（実施の形態２）
図３は、本発明の第２の実施の形態における係止爪の斜視図である。図３（ｂ）は図３（ａ）のＢ−Ｂ断面図である。なお、実施の形態１と同一部分については同一符号を付してその説明を省略する。図３において、係止爪１１０に円形状の突部１５を設け、千鳥状に配置し、係合穴１１１には係合穴１１１の端部より穴の内側に向かって凸となる複数の凸部１３を千鳥位置に配置している。この構成によって、円形状の突部１５が係合穴１１１に設けた凸部１３の間に形成される凹部に係合して保持され、凸部１３が千鳥位置に配置されているため、機械室部前板１０３をがたつくことなく所定の位置におさめることができる。
【産業上の利用可能性】
【００２６】
以上のように、本発明に係る空気調和機の室外ユニットは、安価な構成で、見栄えを損なうことがなく、一人で取り付ける際には、簡単で確実に前板を取り付けることができるため、作業効率が非常に良い。そのため、空気調和機の室外ユニットだけに限らず、設置時もしくはサービス時に着脱を要する扉や蓋などを有する各種機器もしくは装置などの用途にも適用できる。
【図面の簡単な説明】
【００２７】
【図１】本発明の実施の形態１における係止爪と係合穴の構成を示す部分斜視図
【図２】図１におけるＡ−Ａ断面図
【図３】（ａ）本発明の実施の形態２における係止爪の斜視図、（ｂ）Ｂ−Ｂ断面図
【図４】従来の空気調和機の室外ユニットの展開斜視図
【図５】（ａ）図４のＤ部とＥ部の係合方法を示す正面図、（ｂ）Ｃ−Ｃ断面図
【符号の説明】
【００２８】
９０  室外ユニット
９０ａ  外箱
１０１  天板
１０２  吹き出し口部前板
１０２ａ  吹き出し口
１０３  機械室部前板
１０５ａ、１０５ｂ  側板
１１０  係止爪
１１１  係合穴
１２  突部
１３  凸部
１５  円形状の突部
１６  挿入部
１７  掛止部
【図１】
2006292270.tif 000003
【図２】
2006292270.tif 000004
【図３】
2006292270.tif 000005
【図４】
2006292270.tif 000006
【図５】
2006292270.tif 000007